【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
システム（１００）であって、当該システムが、
燃料を燃焼させかつ排熱を発生するタービンエンジン（１００）と、
前記タービンエンジン（１００）の熱排出端部（１４５）内に設置されかつ該タービンエンジン（１００）から発生した前記排熱を電気エネルギーに変換する熱電モジュール（１５０）と
を備えており、
前記熱電モジュール（１５０）が、電気的に直列に連結されかつ熱的に並列に連結された複数の熱電素子（２００）の乱流配置を含み、前記複数の熱電素子（２００）の各々が、熱接点（２１５）及び冷接点（２２０）において互いに結合された第１の熱電材料（２０５）及び第２の熱電材料（２１０）を含み、前記冷接点（２２０）が、該冷接点（２２０）における伝熱抵抗を増大させる断熱層（２２５）で被覆されていて該冷接点（２２０）における温度を低下させ、前記熱接点（２１５）と冷接点（２２０）が、熱的に並列に連結されて、該熱接点（２１５）と冷接点（２２０）の間に温度勾配が生じ、前記発生電気エネルギーが、前記熱接点（２１５）と冷接点（２２０）の間に生じた前記温度勾配の関数であり、乱流配置の複数の熱電素子（２００）の各々が、熱排出端部（１４５）から、該熱排出端部（１４５）を通過する排熱を伴うガス流の中に突出していて、熱排出端部（１４５）から該熱排出端部（１４５）を通過するガス流の中に突出している複数の熱電素子（２００）がガス流の乱流を生じさせ、ガス流の乱流が、複数の熱電素子（２００）の各熱接点（２１５）で高い熱伝達率及び複数の熱電素子（２００）の各冷接点（２２０）で低い熱伝達率を生じさせて、複数の熱電素子（２００）の各々の熱接点（２１５）と冷接点（２２０）の間の温度勾配を増大させる、システム（１００）。
【請求項２】
前記熱電モジュール（１５０）が、前記タービンエンジン（１００）のケーシング（１５５）内の壁上に設置される、請求項１記載のシステム（１００）。
【請求項３】
前記熱電モジュール（１５０）が、前記タービンエンジン（１００）の熱排出端部（１４５）の壁上に設置される、請求項２記載のシステム（１００）。
【請求項４】
前記タービンエンジン（１００）の周りに設置された複数の電気部品（１６５）をさらに含む、請求項１乃至請求項３のいずれか１項記載のシステム（１００）。
【請求項５】
前記熱電モジュール（１５０）により発生された前記電気エネルギーが、前記複数の電気部品（１６５）に電力を供給するために使用される、請求項４記載のシステム（１００）。
【請求項６】
圧縮機（１０５）と、
前記圧縮機（１０５）からの空気及び燃料の混合気を受けかつ該混合気を燃焼させる燃焼器（１２０）と、
前記空気及び燃料の燃焼により発生された前記燃焼器（１２０）からの高温ガスを膨張させて機械的回転エネルギーに変換するタービン（１１５）と、
前記タービン（１１５）から発生した排熱を熱電気エネルギーに変換する熱電モジュール（１５０）と
を備えるタービンエンジン（１００）であって、
前記熱電モジュール（１５０）が、その熱排出端部（１４５）において該タービンエンジン（１００）のケーシング（１５５）内に設置された複数の熱電素子（２００）の乱流配置を含み、前記複数の熱電素子（２００）の各々が、熱接点（２１５）及び冷接点（２２０）において互いに結合された第１の熱電材料（２０５）及び第２の熱電材料（２１０）を含み、前記冷接点（２２０）が、該冷接点（２２０）における伝熱抵抗を増大させる断熱層（２２５）で被覆されていて該冷接点（２２０）における温度を低下させ、温度勾配が、前記熱接点（２１５）と冷接点（２２０）の間に生じ、前記発生熱電気エネルギーが、前記熱接点（２１５）と冷接点（２２０）の間に生じた前記温度勾配の関数であり、乱流配置の複数の熱電素子（２００）の各々が、熱排出端部（１４５）から、該熱排出端部（１４５）を通過する排熱を伴うガス流の中に突出していて、熱排出端部（１４５）から該熱排出端部（１４５）を通過するガス流の中に突出している複数の熱電素子（２００）がガス流の乱流を生じさせ、ガス流の乱流が、複数の熱電素子（２００）の各熱接点（２１５）で高い熱伝達率及び複数の熱電素子（２００）の各冷接点（２２０）で低い熱伝達率を生じさせて、複数の熱電素子（２００）の各々の熱接点（２１５）と冷接点（２２０）の間の温度勾配を増大させる、タービンエンジン（１００）。
【請求項７】
前記熱電気エネルギーが、該タービンエンジン（１００）の周りに設置された複数の電気部品（１６５）に電力を供給するために使用される、請求項６記載のタービンエンジン（１００）。
【請求項８】
前記複数の熱電素子（２００）の各々の乱流配置が、前記排熱の乱流流れを生成して、前記断熱層（２２５）で被覆された前記冷接点（２２０）により該冷接点の温度を低下させた状態で、高い平均熱伝達率を生じさせて該排熱の高温ガスからの最大熱捕捉を可能にするのを保証する、請求項６又は請求項７記載のタービンエンジン（１００）。
【請求項９】
複数の電気部品（１６５）と、
圧縮機（１０５）と、
前記圧縮機（１０５）からの空気及び燃料の混合気を受けかつ該混合気を燃焼させる燃焼器（１２０）と、
前記空気及び燃料の燃焼により発生された前記燃焼器（１２０）からの高温ガスを膨張させて機械的回転エネルギーに変換するタービン（１１５）と、
前記タービン（１１５）から発生した排熱を熱電気エネルギーに変換する熱電モジュール（１５０）と
を備えるガスタービンエンジン（１００）であって、
前記熱電モジュール（１５０）が、熱排出端部（１４５）において該タービンエンジン（１００）のケーシング（１５５）内に設置された複数の熱電素子（２００）の乱流配置を含み、前記複数の熱電素子（２００）の各々が、熱接点（２１５）及び冷接点（２２０）において互いに結合された第１の熱電材料（２０５）及び第２の熱電材料（２１０）を含み、前記冷接点（２２０）が、該冷接点（２２０）における伝熱抵抗を増大させる断熱層（２２５）で被覆されていて該冷接点（２２０）における温度を低下させ、温度勾配が、前記熱接点（２１５）と冷接点（２２０）の間に生じ、前記発生熱電気エネルギーが、前記熱接点（２１５）と冷接点（２２０）の間に生じた前記温度勾配の関数であり、
前記熱電モジュール（１５０）が、前記熱電気エネルギーを使用して前記複数の電気部品（１６５）に電力を供給し、乱流配置の複数の熱電素子（２００）の各々が、熱排出端部（１４５）から、該熱排出端部（１４５）を通過する排熱を伴うガス流の中に突出していて、熱排出端部（１４５）から該熱排出端部（１４５）を通過するガス流の中に突出している複数の熱電素子（２００）がガス流の乱流を生じさせ、ガス流の乱流が、複数の熱電素子（２００）の各熱接点（２１５）で高い熱伝達率及び複数の熱電素子（２００）の各冷接点（２２０）で低い熱伝達率を生じさせて、複数の熱電素子（２００）の各々の熱接点（２１５）と冷接点（２２０）の間の温度勾配を増大させる、ガスタービンエンジン（１００）。
【請求項１０】
各熱接点（２１５）の入熱と前記断熱層（２２５）で被覆された前記冷接点（２２０）に関連する入熱との間の差が、該熱接点（２１５）と冷接点（２２０）の間に生じた前記温度勾配を生じさせる温度差に相当し、前記熱電モジュール（１５０）が、前記温度差を使用して、熱電気電圧を発生させる、請求項９記載のガスタービンエンジン（１００）。